【手続補正書】
【提出日】平成15年9月22日(2003.9.22)
【手続補正１】
【補正対象書類名】明細書
【補正対象項目名】発明の名称
【補正方法】変更
【補正の内容】
【発明の名称】携帯形情報機器
【手続補正２】
【補正対象書類名】明細書
【補正対象項目名】特許請求の範囲
【補正方法】変更
【補正の内容】
【特許請求の範囲】
【請求項１】
筐体と、
上記筐体に設けられたキーボード取り付け部と、
上記キーボード取り付け部に取り外し可能に設置されるキーボードと、
上記キーボードの縁部を上記キーボード取り付け部との間で挟むとともに、少なくとも一端に指掛け部を有するキーボードホルダと、を備えていることを特徴とする携帯形情報機器。
【請求項２】
筐体と、
上記筐体に設けられたキーボード取り付け部と、
上記キーボード取り付け部に取り外し可能に設置されるとともに、縁部を有するキーボードと、
上記キーボードの縁部を上記キーボード取り付け部との間で挟む保持壁と、この保持壁の一端に位置する指掛け部とを有するキーボードホルダと、を備えていることを特徴とする携帯形情報機器。
【請求項３】
請求項１又は請求項２の記載において、上記筐体は上壁と周壁とを有し、上記キーボードホルダの指掛け部は、上記上壁と上記周壁とで規定された角部に露出されることを特徴とする携帯形情報機器。
【請求項４】
請求項２の記載において、上記キーボードホルダの保持壁は、上記キーボード取り付け部に取り外し可能に係止される複数の係合片を有し、これら係合片は、互いに間隔を存して配置されていることを特徴とする携帯形情報機器。
【請求項５】
請求項２の記載において、上記キーボード取り付け部は、上記キーボードの周囲に位置する周壁を有し、上記キーボードホルダは、上記保持壁と上記キーボード取り付け部の周壁との間の隙間を上方から覆うカバー壁を有し、このカバー壁と上記筐体の上壁とは略面一であることを特徴とする携帯形情報機器。
【請求項６】
請求項１又は請求項２の記載において、上記キーボードホルダは、上記キーボード取り付け部に取り外し可能に係止される係止爪を有することを特徴とする携帯形情報機器。
【請求項７】
上壁およびこの上壁に連なる周壁を有する筐体と、
上記筐体に設けられたキーボード取り付け部と、
上記キーボード取り付け部に取り外し可能に設置されるとともに、縁部を有するキーボードと、
上記筐体に取り外し可能に係止され、上記筐体の上壁に対し略面一に配置されて上記キーボードの縁部を上記キーボード取り付け部との間で挟むとともに、一端に上記筐体の上壁と上記周壁とで規定された角部に露出される指掛け部を有するキーボードホルダと、を具備したことを特徴とする携帯形情報機器。
【請求項８】
請求項７の記載において、上記筐体は、ロアハウジングと、このロアハウジングに取り付けられるとともに上記キーボード取り付け部が設けられたアッパハウジングとを有し、上記キーボードホルダは上記アッパハウジングに取り付けられることを特徴とする携帯形情報機器。
【請求項９】
請求項３又は請求項７の記載において、上記キーボードホルダの指掛け部と上記筐体の周壁との間に窪みが形成されていることを特徴とする携帯形情報機器。
【手続補正３】
【補正対象書類名】明細書
【補正対象項目名】００１０
【補正方法】変更
【補正の内容】
【００１０】
また、キーボードホルダのカバー壁に工具を引っかける必要があることから、このカバー壁や筐体に傷が付き易いといった問題もある。
本発明の目的は、キーボードホルダを専用の工具類を用いることなく手で簡単に取り外すことができ、キーボードの脱着作業を容易に行なえる携帯形情報機器を得ることにある。


【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
【課題を解決するための手段】
上記目的を達成するため、本発明の一つの形態に係る携帯形情報機器は、
筐体と、
上記筐体に設けられたキーボード取り付け部と、
上記キーボード取り付け部に取り外し可能に設置されるキーボードと、
上記キーボードの縁部を上記キーボード取り付け部との間で挟むとともに、少なくとも一端に指掛け部を有するキーボードホルダと、を備えていることを特徴としている。


【手続補正７】
【補正対象書類名】明細書
【補正対象項目名】００１４
【補正方法】変更
【補正の内容】
【００１４】
このような構成によれば、キーボードホルダに指先を容易に引っかけることができ、ドライバのような専用の工具を用いなくともキーボードホルダをキーボード取り付け部から手で取り出すことができる。このため、キーボード取り付け部に対するキーボードの保持を簡単に解除することができ、キーボードの取り外し作業を容易に行うことができる。


【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００３３
【補正方法】変更
【補正の内容】
【００３３】
第１の周壁３８ａと底壁３９とで規定される角部には、複数の第１の係止孔４０（図３に一つのみを図示する）が形成されている。第１の係止孔４０は、筐体４の幅方向に間隔を存して配置されている。第２の周壁３８ｂと底壁３９とで規定される角部には、複数の第２の係止孔４１が形成されている。第２の係止孔４１は、筐体４の幅方向に間隔を存して配置されている。


【手続補正１４】
【補正対象書類名】明細書
【補正対象項目名】００４２
【補正方法】変更
【補正の内容】
【００４２】
なお、キーボード１０は、フレキシブルなプリント配線板６０を介して回路基板２０に電気的に接続されている。
図２に示すように、キーボードパネル５７およびシールド板５９は、第１ないし第４の縁部６１ａ〜６１ｄを有している。これら第１ないし第４の縁部６１ａ〜６１ｄは、夫々上記キーボード取り付け部９の第１ないし第４の周壁３８ａ〜３８ｄに沿って延びている。


【手続補正１５】
【補正対象書類名】明細書
【補正対象項目名】００４４
【補正方法】変更
【補正の内容】
【００４４】
第２の縁部６１ｂは、第２の周壁３８ｂと向かい合うとともに、上記底壁３９の上のガイド凸部４４に接している。このため、キーボードパネル５７およびシールド板５９は、第１の周壁３８ａとガイド凸部４４との間に介在されており、このことにより、筐体４の奥行き方向へのキーボード１０の位置決めがなされている。


【手続補正１６】
【補正対象書類名】明細書
【補正対象項目名】００５４
【補正方法】変更
【補正の内容】
【００５４】
キーボードホルダ６５の第２の保持壁６７は、複数の逃げ凹部７８を有している。逃げ凹部７８は、上記底壁３９のガイド凸部４４に対応するものであり、キーボードホルダ６５の長手方向に間隔を存して配置されている。そのため、キーボードホルダ６５をキーボード取り付け部９に挿入すると、ガイド凸部４４が逃げ凹部７８に入り込み、このガイド凸部４４と第２の保持壁６７との干渉が阻止されている。


【手続補正１７】
【補正対象書類名】明細書
【補正対象項目名】００７５
【補正方法】変更
【補正の内容】
【００７５】
また、上記実施の形態においては、キーボードホルダの第１の端部に指掛け部を形成したが、この指掛け部をキーボードホルダの第１および第２の端部の両方に形成するようにしても良い。
【手続補正１８】
【補正対象書類名】明細書
【補正対象項目名】００７６
【補正方法】変更
【補正の内容】
【００７６】
【発明の効果】
以上詳述した本発明によれば、キーボードホルダを手作業で簡単に取り出すことができ、キーボードを筐体から取り外す際の作業性が向上する。


【手続補正１９】
【補正対象書類名】明細書
【補正対象項目名】００７７
【補正方法】削除
【補正の内容】
【手続補正２０】
【補正対象書類名】明細書
【補正対象項目名】００７８
【補正方法】削除
【補正の内容】
【手続補正２１】
【補正対象書類名】明細書
【補正対象項目名】００７９
【補正方法】削除
【補正の内容】
【手続補正２２】
【補正対象書類名】明細書
【補正対象項目名】符号の説明
【補正方法】変更
【補正の内容】
【符号の説明】
４…筐体、４ｂ…上壁、４ｄ…周壁（側壁）、９…キーボード取り付け部、１０…キーボード、６１ｂ…縁部（第２の縁部）、６５…キーボードホルダ、６７…保持壁（第２の保持壁）、８３…指掛け部、８６…角部。
【手続補正２３】
【補正対象書類名】図面
【補正対象項目名】図７
【補正方法】変更
【補正の内容】
【図７】
1999175186.tif 000001